(57)【要約】本発明は、無線端末で測定された無線端末測定情報を用いて、無線セルの無線パラメータを決定する無線パラメータ制御システムであって、前記無線端末の移動の大きさが所定の範囲内であるかを判定する無線端末移動判定手段と、前記移動の大きさが所定の範囲内である無線端末が報告した無線端末測定情報と、前記移動の大きさが所定の範囲外である無線端末が報告した無線端末測定情報とを区別し、前記無線セルの無線パラメータを決定する無線パラメータ決定手段とを有する無線パラメータ制御システムである。
2013089057.tif 000002
【特許請求の範囲】
【請求項１】
無線端末で測定された無線端末測定情報を用いて、無線セルの無線パラメータを決定する無線パラメータ制御システムであって、
前記無線端末の移動の大きさが所定の範囲内であるかを判定する無線端末移動判定手段と、
前記移動の大きさが所定の範囲内である無線端末が報告した無線端末測定情報と、前記移動の大きさが所定の範囲外である無線端末が報告した無線端末測定情報とを区別し、前記無線セルの無線パラメータを決定する無線パラメータ決定手段と
を有する無線パラメータ制御システム。
【請求項２】
前記無線パラメータ決定手段は、移動の大きさが所定の範囲内である無線端末が報告した無線端末測定情報、又は、移動の大きさが所定の範囲外である無線端末が報告した無線端末測定情報のいずれかを重視して、前記無線セルの無線パラメータを決定する
請求項１に記載の無線パラメータ制御システム。
【請求項３】
前記無線パラメータ決定手段は、前記重視する無線端末測定情報に対する重みづけ、または、前記重視しない無線端末測定情報に対する重みづけを行い、前記無線セルの無線パラメータを決定する
請求項２に記載の無線パラメータ制御システム。
【請求項４】
前記無線パラメータ決定手段は、前記重視する無線端末測定情報のみを用いて、前記無線セルの無線パラメータを決定する
請求項２又は請求項３に記載の無線パラメータ制御システム。
【請求項５】
前記無線パラメータ決定手段は、前記重視しない無線端末測定情報の報告数に対する前記重視する無線端末測定情報の報告数の割合が高くなるように、前記重視する無線端末測定情報の報告数または前記重視しない無線端末測定情報の報告数を変更して、前記無線セルの無線パラメータを決定する
請求項２又は請求項３に記載の無線パラメータ制御システム。
【請求項６】
前記無線パラメータ決定手段は、無線端末測定情報毎の通信品質を評価することによって無線パラメータを決定する際に、前記重視する無線端末測定情報の通信品質を、前記重視しない無線端末測定情報の通信品質よりも重みを付けて評価することを特徴とする
請求項２又は請求項３に記載の無線パラメータ制御システム。
【請求項７】
前記無線パラメータ決定手段は、移動の大きさが所定の範囲内である無線端末が報告する無線端末測定情報、又は、移動の大きさが所定の範囲外である無線端末が報告する無線端末測定情報のいずれかを重視するのかが予め設定されており、前記重視する無線端末測定情報の報告数が、前記重視しない無線端末測定情報の報告数よりも所定の割合以上多い場合に、前記移動の大きさが所定の範囲内である無線端末が報告した無線端末測定情報と、前記移動の大きさが所定の範囲外である無線端末が報告した無線端末測定情報とを区別して無線セルの無線パラメータの決定を行う
請求項１から請求項６のいずれかに記載の無線パラメータ制御システム。
【請求項８】
前記無線パラメータ決定手段は、前記移動の大きさに応じて無線端末測定情報を無線端末毎に平均化し、前記無線セルの無線パラメータを決定する
請求項１から請求項７のいずれかに記載の無線パラメータ制御システム。
【請求項９】
前記無線端末測定情報は、無線端末が検出した無線セルの無線品質情報を含む
請求項１から請求項８のいずれかに記載の無線パラメータ制御システム。
【請求項１０】
前記無線品質情報は、受信電力、受信品質、信号対干渉雑音比、スループットの少なくともいずれかを含む
請求項９に記載の無線パラメータ制御システム。
【請求項１１】
前記無線端末移動判定手段は、前記無線品質情報に基づいて、前記無線端末の移動の大きさが所定の範囲内であるかを判定する
請求項９又は請求項１０に記載の無線パラメータ制御システム。
【請求項１２】
前記無線端末移動判定手段は、前記無線端末が接続している無線セルの無線品質の変動幅が所定の閾値より小さくなる場合に、前記無線端末の移動の大きさが所定の範囲内であると判定する
請求項１１に記載の無線パラメータ制御システム。
【請求項１３】
前記無線端末移動判定手段は、前記無線端末が接続している無線セルの無線品質と、当該無線セルとは異なる場所に設置された無線セルの無線品質とを用い、双方の無線品質の所定期間内の変動幅が共に所定の閾値より小さい場合に、前記無線端末の移動の大きさが所定の範囲内であると判定する
請求項１１に記載の無線パラメータ制御システム。
【請求項１４】
前記無線端末は、無線端末の移動状態に関する移動状態情報を取得し、前記取得した移動状態情報を、前記無線端末測定情報に含めて無線端末移動判定手段に送信する移動状態情報取得手段を有し、
前記無線端末移動判定手段は、前記移動状態情報に基づいて、前記無線端末の移動の大きさが所定の範囲内であるかを判定する
請求項１から請求項１３のいずれかに記載の無線パラメータ制御システム。
【請求項１５】
前記移動状態情報は、ドップラー周波数、無線端末の移動速度、無線端末の位置情報の少なくともいずれかを含む
請求項１４に記載の無線パラメータ制御システム。
【請求項１６】
前記無線セルを管理する無線基地局に接続される無線パラメータ制御装置が、前記無線端末移動判定手段と、前記無線パラメータ決定手段とを有する
請求項１から請求項１５のいずれかに記載の無線パラメータ制御システム。
【請求項１７】
前記無線セルを管理する無線基地局が、前記無線端末移動判定手段と、前記無線パラメータ決定手段とを有する
請求項１から請求項１５のいずれかに記載の無線パラメータ制御システム。
【請求項１８】
前記無線端末が、前記無線端末移動判定手段を有し、
前記無線セルを管理する無線基地局、又は、前記無線基地局に接続される無線パラメータ制御装置のいずれかが、前記無線パラメータ決定手段を有する
請求項１から請求項１５のいずれかに記載の無線パラメータ制御システム。
【請求項１９】
無線端末で測定された無線端末測定情報を用いて、無線セルの無線パラメータを決定する無線パラメータ制御装置であって、
移動の大きさが所定の範囲内である無線端末が報告した無線端末測定情報と、移動の大きさが所定の範囲外である無線端末が報告した無線端末測定情報とを区別し、前記無線セルの無線パラメータを決定する無線パラメータ決定手段を
有する無線パラメータ制御装置。
【請求項２０】
前記無線パラメータ決定手段は、移動の大きさが所定の範囲内である無線端末が報告した無線端末測定情報、又は、移動の大きさが所定の範囲外である無線端末が報告した無線端末測定情報のいずれかを重視して、前記無線セルの無線パラメータを決定する
請求項１９に記載の無線パラメータ制御装置。
【請求項２１】
前記無線パラメータ決定手段は、前記重視する無線端末測定情報に対する重みづけ、または、前記重視しない無線端末測定情報に対する重みづけを行い、前記無線セルの無線パラメータを決定する
請求項２０に記載の無線パラメータ制御装置。
【請求項２２】
前記無線パラメータ決定手段は、前記重視する無線端末測定情報のみを用いて、前記無線セルの無線パラメータを決定する
請求項２０又は請求項２１に記載の無線パラメータ制御装置。
【請求項２３】
前記無線パラメータ決定手段は、前記重視しない無線端末測定情報の報告数に対する前記重視する無線端末測定情報の報告数の割合が高くなるように、前記重視する無線端末測定情報の報告数または前記重視しない無線端末測定情報の報告数を変更して、前記無線セルの無線パラメータを決定する
請求項２０又は請求項２１に記載の無線パラメータ制御装置。
【請求項２４】
前記無線パラメータ決定手段は、無線端末測定情報毎の通信品質を評価することによって無線パラメータを決定する際に、前記重視する無線端末測定情報の通信品質を、前記重視しない無線端末測定情報の通信品質よりも重みを付けて評価することを特徴とする
請求項２０又は請求項２１に記載の無線パラメータ制御装置。
【請求項２５】
前記無線パラメータ決定手段は、移動の大きさが所定の範囲内である無線端末が報告する無線端末測定情報、又は、移動の大きさが所定の範囲外である無線端末が報告する無線端末測定情報のいずれかを重視するのかが予め設定されており、前記重視する無線端末測定情報の報告数が、前記重視しない無線端末測定情報の報告数よりも所定の割合以上多い場合に、前記移動の大きさが所定の範囲内である無線端末が報告した無線端末測定情報と、前記移動の大きさが所定の範囲外である無線端末が報告した無線端末測定情報とを区別して無線セルの無線パラメータの決定を行う
請求項１９から請求項２５のいずれかに記載の無線パラメータ制御装置。
【請求項２６】
前記無線パラメータ決定手段は、前記移動の大きさに応じて無線端末測定情報を無線端末毎に平均化し、前記無線セルの無線パラメータを決定する
請求項１９から請求項２５のいずれかに記載の無線パラメータ制御装置。
【請求項２７】
前記無線端末測定情報は、無線端末が検出した無線セルの無線品質情報を含む
請求項１９から請求項２６のいずれかに記載の無線パラメータ制御装置。
【請求項２８】
前記無線品質情報は、受信電力、受信品質、信号対干渉雑音比スループットの少なくともいずれかを含む
請求項２７に記載の無線パラメータ制御装置。
【請求項２９】
前記無線端末の移動の大きさが所定の範囲内であるかを判定する無線端末移動判定手段を有する請求項１９から請求項２８のいずれかに記載の無線パラメータ制御装置。
【請求項３０】
前記無線端末移動判定手段は、前記無線品質情報に基づいて、前記無線端末の移動の大きさが所定の範囲内であるかを判定する
請求項２９に記載の無線パラメータ制御装置。
【請求項３１】
前記無線端末移動判定手段は、前記無線端末が接続している無線セルの無線品質の変動幅が所定の閾値より小さくなる場合に、前記無線端末の移動の大きさが所定の範囲内であると判定する
請求項２９に記載の無線パラメータ制御装置。
【請求項３２】
前記無線端末移動判定手段は、前記無線端末が接続している無線セルの無線品質と、当該無線セルとは異なる場所に設置された無線セルの無線品質とを用い、双方の無線品質の所定期間内の変動幅が共に所定の閾値より小さい場合に、前記無線端末の移動の大きさが所定の範囲内であると判定する
請求項２９に記載の無線パラメータ制御装置。
【請求項３３】
前記無線端末移動判定手段は、前記無線端末が取得した無線端末の移動状態に関する移動状態情報に基づいて、前記無線端末の移動の大きさが所定の範囲内であるかを判定する
請求項２９に記載の無線パラメータ制御装置。
【請求項３４】
前記移動状態情報は、ドップラー周波数、無線端末の移動速度、無線端末の位置情報の少なくともいずれかを含む
請求項３３に記載の無線パラメータ制御装置。
【請求項３５】
無線端末で測定された無線端末測定情報を用いて、無線セルの無線パラメータを決定する無線基地局であって、
移動の大きさが所定の範囲内である無線端末が報告した無線端末測定情報と、移動の大きさが所定の範囲外である無線端末が報告した無線端末測定情報とを区別し、前記無線セルの無線パラメータを決定する無線パラメータ決定手段を
有する無線基地局。
【請求項３６】
前記無線端末の移動の大きさが所定の範囲内であるかを判定する無線端末移動判定手段を有する請求項３５の無線基地局。
【請求項３７】
無線端末で測定された無線端末測定情報を用いて、無線セルの無線パラメータを決定する無線通信システムにおける無線端末であって、
前記無線端末の移動状態に関する移動状態情報を取得する移動状態情報取得手段と、
前記無線端末測定情報に前記移動状態情報を含めて、前記無線基地局に送信する送信手段と
を有する無線端末。
【請求項３８】
無線端末で測定された無線端末測定情報を用いて、無線セルの無線パラメータを決定する無線通信システムにおける無線端末であって、
前記無線端末の移動の大きさが所定の範囲内であるかを判定する無線端末移動判定手段と、
前記移動の大きさが所定の範囲内である場合、又は、前記移動の大きさが所定の範囲外である場合、前記無線端末測定情報を、前記無線基地局に送信する送信手段と
を有する無線端末。
【請求項３９】
無線端末で測定された無線端末測定情報を用いて、無線セルの無線パラメータを決定する無線パラメータ制御方法であって、
前記無線端末の移動の大きさが所定の範囲内であるかを判定し、
前記移動の大きさが所定の範囲内である無線端末が報告した無線端末測定情報と、前記移動の大きさが所定の範囲外である無線端末が報告した無線端末測定情報とを区別し、前記無線セルの無線パラメータを決定する
無線パラメータ制御方法。
【請求項４０】
無線端末で測定された無線端末測定情報を用いて、無線セルの無線パラメータを決定する無線パラメータ制御のプログラムであって、
コンピュータに、
移動の大きさが所定の範囲内である無線端末が報告した無線端末測定情報と、移動の大きさが所定の範囲外である無線端末が報告した無線端末測定情報とを区別し、前記無線セルの無線パラメータを決定する処理を実行させるためのプログラム。
【発明の詳細な説明】
【技術分野】
【０００１】
本発明は無線パラメータ制御システム、無線パラメータ制御装置、無線基地局、無線端末、無線パラメータ制御方法及びプログラムに関する。
【背景技術】
【０００２】
携帯電話に代表されるセルラ方式の無線通信ネットワークでは、複数の無線基地局を分散して配置することにより、広域なサービスエリアを構成する。各無線基地局は、自身と通信可能な範囲である無線セルを形成する。通常は１〜６程度の無線セルが１つの無線基地局によって管理される。また、互いに隣接する無線セル同士で、カバレッジの一部に重なりを持たせることによって、無線端末（Ｕｓｅｒ  Ｅｑｕｉｐｍｅｎｔ：ＵＥ）が無線セルを跨って移動した際にもハンドオーバにより通信を持続することができる。【０００３】
無線基地局の設置時や運用中には、通信不能なエリア（Ｃｏｖｅｒａｇｅ  ｈｏｌｅ）を減らし、さらにはＵＥの通信品質、特にスループットを改善することを目的に、無線セルのカバレッジ最適化が行われる。一般的には、現地にて専用の測定器を用いた走行試験を実施する。走行試験においては、電波の受信電力や干渉状況、通信の異常切断やハンドオーバ失敗の発生有無、スループットなどが測定される。そして、受信電力が不十分な場所（Ｗｅａｋ  ｃｏｖｅｒａｇｅ）や、強い干渉を受けている場所（Ｐｉｌｏｔ  ｐｏｌｌｕｔｉｏｎ）などを特定し、これらの問題を解消するための無線パラメータの調整が行われる。調整される無線パラメータとしては、例えば、無線セルのアンテナチルト角、アンテナ方位角、送信電力、及びハンドオーバパラメータなどが一般的である。【０００４】
上述の走行試験に基づく無線セルのカバレッジ最適化は、人手による測定ならびに無線パラメータのチューニング作業を伴うため、無線通信ネットワークの運用コストの増加の一因となっている。そこで、こうした無線セルのカバレッジ最適化にかかるコストを削減するために、無線セルのカバレッジを自律的に最適化する技術が提案されている。【０００５】
無線セルのカバレッジを自律的に最適化する技術としては、ＳＯＮ（Ｓｅｌｆ  Ｏｒｇａｎｉｚｉｎｇ  Ｎｅｔｗｏｒｋ）におけるＣＣＯ（Ｃｏｖｅｒａｇｅ ａｎｄ Ｃａｐａｃｉｔｙ Ｏｐｔｉｍｉｚａｔｉｏｎ）がある。ＳＯＮは、無線端末や無線基地局から収集した品質測定データを解析することによって、従来は人手で行われていた無線通信ネットワークのパラメータ設定や最適化を自律的に実施する技術であり、無線通信インフラのＣＡＰＥＸ（Ｃａｐｔｉｔａｌ  Ｅｘｐｅｎｄｉｔｕｒｅ）やＯＰＥＸ（Ｏｐｅｒａｔｉｏｎａｌ  Ｅｘｐｅｎｄｉｔｕｒｅ）を削減する技術として３ＧＰＰ（３ｒｄ  Ｇｅｎｅｒａｔｉｏｎ  Ｐａｒｔｎｅｒｓｈｉｐ  Ｐｒｏｊｅｃｔ）で標準化が進められている。ＣＣＯはＳＯＮの使用態様のひとつであり、無線端末から無線品質（例えば、ＲＳＲＰ：Ｒｅｆｅｒｅｎｃｅ  Ｓｉｇｎａｌ  Ｒｅｃｅｉｖｅｄ  Ｐｏｗｅｒ、ＲＳＲＱ：Ｒｅｆｅｒｅｎｃｅ  Ｓｉｇｎａｌ Ｒｅｃｅｉｖｅｄ  Ｑｕａｌｉｔｙ等）の測定結果を収集し、無線セルの無線パラメータ（例えば、送信電力やアンテナのチルト角等）の変更によって自律的に無線セルのカバレッジの最適化を図る技術である。【０００６】
また、他の技術としては、ＩＣＩＣ（Ｉｎｔｅｒ−Ｃｅｌｌ Ｉｎｔｅｒｆｅｒｅｎｃｅ Ｃｏｏｒｄｉｎａｔｉｏｎ）がある。ＩＣＩＣは、無線端末から報告される無線品質情報を基に、無線基地局間で協調して送信電力の削減や信号送信の休止を行うことにより、干渉を回避する技術である。【０００７】
このような技術の一例が特許文献１に記載されている。特許文献１は、フェムトセルの共通チャネル送信電力の設定方法に関する発明であり、ＵＥ（Ｕｓｅｒ  Ｅｑｕｉｐｍｅｎｔ）による無線品質の測定結果は、ＨｏｍｅＢＴＳ（フェムトセル）にてＵＥ毎に統計処理されて活用される。例えば、ＨｏｍｅＢＴＳのＣＰＩＣＨ（Ｃｏｍｍｏｎ  Ｐｉｌｏｔ  Ｃｈａｎｎｅｌ）送信電力の初期値を、当該ＨｏｍｅＢＴＳが測定したＭａｃｒｏ  ＣｅｌｌのＣＰＩＣＨ受信電力に比例させた値とする。ＨｏｍｅＢＴＳと接続したＵＥは、ＣＰＩＣＨ  Ｅｃ／Ｎｏ（Ｒｅｃｅｉｖｅｄ  ｅｎｅｒｇｙ  ｐｅｒ  ｃｈｉｐ  ｄｉｖｉｄｅｄ  ｂｙ  ｔｈｅ  ｎｏｉｓｅ  ｐｏｗｅｒ  ｄｅｎｓｉｔｙ  ｉｎ  ｔｈｅ  ｂａｎｄ）を測定し、ＨｏｍｅＢＴＳへと報告する。ＨｏｍｅＢＴＳは、ＵＥから報告されたＣＰＩＣＨ  Ｅｃ／Ｎｏの測定値が所定の目標値に近づくように、上記ＣＰＩＣＨ送信電力を制御する。このとき、ＨｏｍｅＢＴＳに登録されたＵＥ毎にＣＰＩＣＨ  Ｅｃ／Ｎｏの統計値を求め、その統計値が目標値に近づくようにＣＰＩＣＨ送信電力を制御する。統計値としては、例えば、ＵＥ毎にＣＰＩＣＨ  Ｅｃ／Ｎｏの最小値を求めたり、ＵＥ毎にＣＰＩＣＨ  Ｅｃ／Ｎｏの累積分布のＸ％値を求めたりする。
【先行技術文献】
【特許文献】
【０００８】
【特許文献１】国際公開第２００９／０４７９７２号
【発明の概要】
【発明が解決しようとする課題】
【０００９】
ところで、無線端末によって測定された無線品質等の情報を無線端末から収集する場合、無線端末の移動によって、たとえ同じ無線端末であっても、測定した時間によっては異なる無線品質が報告される可能性がある。従って、これらの無線品質を同一の無線端末について単純に平均化すると、平均化された無線品質は、当該無線端末が存在した何れの場所における無線品質にも対応せずに、当該無線端末とは無関係な場所の無線品質を表す恐れがある。【００１０】
一方、無線端末からの各測定報告に対して、平均化などの統計処理を施さずに個別に処理する方法も考えられる。しかしながら、無線端末からの測定報告を集計せずに個別に処理する場合には、無線端末からの測定報告を用いて無線パラメータの最適値を算出する際の処理負荷が大きくなるという問題がある。【００１１】
また、様々な移動状態にある無線端末からの測定報告が混在するため、特定の移動状態にある無線端末に合わせた無線パラメータの最適化が困難である。例えば、無線セルのカバレッジ最適化において、店舗内や駅などの長時間にわたる継続的な通信が行われる場所の無線特性を重視したり、ハンドオーバパラメータの最適化において、移動状態にある無線端末の無線特性を重視したりすることが困難である。【００１２】
本発明は上記課題に鑑みて発明されたものであって、その目的は、適切な無線パラメータを決定することができる無線パラメータ制御システム、無線パラメータ制御装置、無線基地局、無線端末、無線パラメータ制御方法及びプログラムを提供することにある。
【課題を解決するための手段】
【００１３】
本発明は、無線端末で測定された無線端末測定情報を用いて、無線セルの無線パラメータを決定する無線パラメータ制御システムであって、前記無線端末の移動の大きさが所定の範囲内であるかを判定する無線端末移動判定手段と、前記移動の大きさが所定の範囲内である無線端末が報告した無線端末測定情報と、前記移動の大きさが所定の範囲外である無線端末が報告した無線端末測定情報とを区別し、前記無線セルの無線パラメータを決定する無線パラメータ決定手段とを有する無線パラメータ制御システムである。【００１４】
本発明は、無線端末で測定された無線端末測定情報を用いて、無線セルの無線パラメータを決定する無線パラメータ制御装置であって、移動の大きさが所定の範囲内である無線端末が報告した無線端末測定情報と、移動の大きさが所定の範囲外である無線端末が報告した無線端末測定情報とを区別し、前記無線セルの無線パラメータを決定する無線パラメータ決定手段を有する無線パラメータ制御装置である。【００１５】
本発明は、無線端末で測定された無線端末測定情報を用いて、無線セルの無線パラメータを決定する無線基地局であって、移動の大きさが所定の範囲内である無線端末が報告した無線端末測定情報と、移動の大きさが所定の範囲外である無線端末が報告した無線端末測定情報とを区別し、前記無線セルの無線パラメータを決定する無線パラメータ決定手段を有する無線基地局である。【００１６】
本発明は、無線端末で測定された無線端末測定情報を用いて、無線セルの無線パラメータを決定する無線通信システムにおける無線端末であって、前記無線端末の移動状態に関する移動状態情報を取得する移動状態情報取得手段と、前記無線端末測定情報に前記移動状態情報を含めて、前記無線基地局に送信する送信手段とを有する無線端末である。【００１７】
本発明は、無線端末で測定された無線端末測定情報を用いて、無線セルの無線パラメータを決定する無線通信システムにおける無線端末であって、前記無線端末の移動の大きさが所定の範囲内であるかを判定する無線端末移動判定手段と、前記移動の大きさが所定の範囲内である場合、又は、前記移動の大きさが所定の範囲外である場合、前記無線端末測定情報を、前記無線基地局に送信する送信手段とを有する無線端末である。【００１８】
本発明は、無線端末で測定された無線端末測定情報を用いて、無線セルの無線パラメータを決定する無線パラメータ制御方法であって、前記無線端末の移動の大きさが所定の範囲内であるかを判定し、前記移動の大きさが所定の範囲内である無線端末が報告した無線端末測定情報と、前記移動の大きさが所定の範囲外である無線端末が報告した無線端末測定情報とを区別し、前記無線セルの無線パラメータを決定する無線パラメータ制御方法である。【００１９】
本発明は、無線端末で測定された無線端末測定情報を用いて、無線セルの無線パラメータを決定する無線パラメータ制御のプログラムであって、コンピュータに、移動の大きさが所定の範囲内である無線端末が報告した無線端末測定情報と、移動の大きさが所定の範囲外である無線端末が報告した無線端末測定情報とを区別し、前記無線セルの無線パラメータを決定する処理を実行させるためのプログラムである。
【発明の効果】
【００２０】
本発明は、無線端末で測定された無線端末測定情報を用いて、無線セルの無線パラメータを決定する際、無線端末測定情報を報告した無線端末の移動状態を考慮する。そのため、適切な無線パラメータを決定することができる。
【図面の簡単な説明】
【００２１】
【図１】図１は本発明における無線パラメータ制御システムの構成図である。
【図２】図２は第１の実施の形態の構成図である。
【図３】図３は第１の実施の形態における無線パラメータ制御装置３０の動作フローチャートである。
【図４】図４は第１の実施の形態における無線パラメータ制御装置３０の他の動作フローチャートである。
【図５】図５は第２の実施の形態における無線パラメータ制御装置３０の動作フローチャートである。
【図６】図６は第３の実施の形態の構成図である。
【図７】図７は第４の実施の形態の構成図である。
【図８】図８は各実施の形態の変形例を示す図である。
【図９】図９は各実施の形態の変形例を示す図である。
【発明を実施するための形態】
【００２２】
本発明の概要を説明する。図１は本発明における無線パラメータ制御システムの構成図である。
【００２３】
本発明の無線パラメータ制御システムは、無線端末１と、無線端末移動判定部２と、無線パラメータ決定部３とを有する。尚、無線通信ネットワーク４は、無線端末１に無線通信サービスを提供するシステムであり、無線基地局や無線基地局制御装置等を含む。そして、以下の説明において、無線通信ネットワーク４は無線端末移動判定部２と無線パラメータ決定部３とを含むが、後述するようにこれに限られない。例えば、無線端末１が無線端末移動判定部２を備えていてもよい。
【００２４】
無線端末１は、無線通信ネットワーク４からの指示に基づいて、無線端末測定情報を測定する機能を有し、無線端末測定情報を無線通信ネットワーク４に送信する。ここで、無線端末１の測定する無線端末測定情報の例としては、例えば、下り信号の無線品質情報がある。無線品質情報としては、ＬＴＥ（Ｌｏｎｇ  Ｔｅｒｍ  Ｅｖｏｌｕｔｉｏｎ）であれば、受信電力を表すＲＳＲＰ（Ｒｅｆｅｒｅｎｃｅ Ｓｉｇｎａｌ Ｒｅｃｅｉｖｅｄ Ｐｏｗｅｒ）、受信品質を表すＲＳＲＱ（Ｒｅｆｅｒｅｎｃｅ Ｓｉｇｎａｌ Ｒｅｃｅｉｖｅｄ Ｑｕａｌｉｔｙ）、信号対干渉雑音比を表すＳＩＮＲ（Ｓｉｇｎａｌ ｔｏ Ｉｎｔｅｒｆｅｒｅｎｃｅ ｐｌｕｓ Ｎｏｉｓｅ Ｐｏｗｅｒ Ｒａｔｉｏ）、スループット、及びこれらの類似情報などである。
【００２５】
また、無線端末測定情報の中に、無線端末測定情報の測定時または測定時から所定時間以内の任意の時点における無線端末１の移動状態がわかるような移動状態情報を含めても良い。移動状態情報としては、例えば、ドップラー周波数や移動速度などの移動状態が直接的に把握できる情報や、無線端末の位置情報（例えば、ＧＰＳによる位置情報）など移動状態が間接的に把握できる情報も含む。尚、後述するように、移動状態情報がなくても、無線端末１の移動が他の方法により判定できるのであれば、移動状態情報は必ずしも必要ではない。また、過去数回にわたって取得した移動状態情報の統計値、例えば、平均値を、無線端末測定情報の中に含める移動状態情報として求めても良い。
【００２６】
無線端末移動判定部２は、無線端末測定情報を報告した無線端末１の移動の大きさが所定の範囲内であるかを判定する。そして、その判定結果と、その無線端末１が測定した無線端末測定情報とを、無線パラメータ決定部３に出力する。
【００２７】
無線端末１の移動の大きさが所定の範囲内であるかを判定する方法としては、無線端末測定情報の中に移動状態情報が含まれている場合は、それを用いて判定する。例えば、ドップラー周波数や移動速度など、移動状態が直接的に把握できる情報が移動状態情報として含まれている場合、これらの値によって移動を判定する。移動状態情報がドップラー周波数の場合、ドップラー周波数が所定の閾値（例えば、移動速度１．５ｋｍ／ｈ相当）より小さくなる場合に、移動の大きさが所定の範囲内（移動なし）であると判定する。また、移動状態情報が、位置情報などの移動状態を間接的に把握できる情報の場合、所定の期間内での位置の変動幅が、所定の閾値（例えば、移動速度１．５ｋｍ／ｈ相当）より小さくなる場合に、移動の大きさが所定の範囲内（移動なし）であると判定する。尚、上記所定の期間内で、部分的に所定の範囲内（移動なし）又は所定の範囲外（移動あり）との判定を行ってもよい。
【００２８】
一方、無線端末測定情報の中に移動状態情報が含まれていない場合は、例えば、無線端末測定情報に含まれている下り参照信号（リファレンス信号）の受信電力を用いて判定しても良い。判定方法は、所定の期間内での下り参照信号の受信電力の変動幅が所定の閾値より小さくなる場合に、移動の大きさが所定の範囲内（移動なし）であると判定する。その際、サービングセル（無線端末が接続する無線セル）の参照信号のみを用いても良いし、サービングセルとは異なる無線セルの参照信号をさらに考慮しても良い。すなわち、一つの無線セルの受信電力の変動幅のみから移動状態を判定する場合、当該無線セルの送信アンテナから電波伝搬的に等しい距離にある等高線上をＵＥが移動した際には、受信電力の変動が生じず、移動なしと誤判定される可能性がある。そこで、当該無線セルの電波伝搬特性との相関が低い他の無線セルの受信電力の変動をさらに考慮することによって、当該ＵＥの移動状態の判定精度を高めることができる。例えば、サービングセルを管理する無線基地局とは異なる無線基地局によって管理される無線セル（ここでは、サービングセルとは異なる位置に設置された無線セルと呼ぶ）を用いれば良い。サービングセルと当該サービングセルとは異なる位置に設置された無線セルの参照信号の両者を用いる場合、双方の変動幅（例えば、参照信号の受信電力の上位９０％値−参照信号の受信電力の下位９０％値）が共に所定の閾値（例えば、１０ｄＢ）より小さくなる場合に、移動の大きさが所定の範囲内（移動なし）であると判定する。尚、上記所定の期間内で、部分的に所定の範囲内（移動なし）又は所定の範囲外（移動あり）との判定を行ってもよい。
【００２９】
無線パラメータ決定部３は、無線端末移動判定部２の結果に基づいて、移動の大きさが所定の範囲内（移動なし）である無線端末１が報告した無線端末測定情報と、移動の大きさが所定の範囲外（移動あり）である無線端末１が報告した無線端末測定情報とを区別し、無線セルの無線パラメータを決定する。
【００３０】
例えば、無線パラメータ決定部３は、移動の大きさが所定の範囲内である無線端末１が報告した無線端末測定情報、又は、移動の大きさが所定の範囲外である無線端末１が報告した無線端末測定情報のいずれかを重視して、無線セルの無線パラメータを決定する。
【００３１】
例えば、移動の大きさが所定の範囲内（移動なし）である無線端末１の端末測定情報のみを用いて、無線セルの無線パラメータを決定する。あるいは、移動の大きさが所定の範囲外（移動あり）である無線端末１の端末測定情報のみを用いて、無線セルの無線パラメータを決定する。
【００３２】
例えば、移動の大きさが所定の範囲内（移動なし）である無線端末１の無線端末測定情報の報告数と移動の大きさが所定の範囲外（移動あり）である無線端末１の無線端末測定情報の報告数とに、移動の大きさが所定の範囲内（移動なし）である無線端末１の無線端末測定情報が重視されるように重みづけを行い、無線セルの無線パラメータを決定する。また、その逆に、移動の大きさが所定の範囲内（移動なし）である無線端末１の無線端末測定情報の報告数と移動の大きさが所定の範囲外（移動あり）である無線端末１の無線端末測定情報の報告数とに、移動の大きさが所定の範囲外（移動あり）である無線端末１の無線端末測定情報が重視されるように重みづけを行い、無線セルの無線パラメータを決定する。
【００３３】
例えば、移動の大きさが所定の範囲内（移動なし）である無線端末１の無線端末測定情報の報告数を、実際の報告数よりも増やして、無線セルの無線パラメータを決定する。あるいは、移動の大きさが所定の範囲外（移動あり）である無線端末１の無線端末測定情報を一定の割合で間引いても良い。また、その逆に、移動の大きさが所定の範囲外（移動あり）である無線端末１の無線端末測定情報の報告数を、実際の報告数よりも増やして、無線セルの無線パラメータを決定する。あるいは、移動の大きさが所定の範囲内（移動なし）である無線端末１の無線端末測定情報を一定の割合で間引いても良い。
【００３４】
尚、上記の移動の大きさに応じた無線端末測定情報の処理に加えて、無線端末測定情報を無線端末毎に平均化し、無線基地局の無線パラメータを決定しても良い。
【００３５】
また、移動の大きさが所定の範囲内である無線端末１が報告した無線端末測定情報と、移動の大きさが所定の範囲外である無線端末１が報告した無線端末測定情報とのいずれを重視するかの一例としては、移動の大きさが所定の範囲内である無線端末１が報告した無線端末測定情報の報告数と、移動の大きさが所定の範囲外である無線端末１が報告した無線端末測定情報の報告数とを比較し、報告数の多い無線端末測定情報を重視する方法がある。むろん、いずれの無線端末測定情報を重視するのか、予め決定していても良い。
【００３６】
更に、移動の大きさが所定の範囲内である無線端末１が報告する無線端末測定情報、又は、移動の大きさが所定の範囲外である無線端末１が報告する無線端末測定情報のいずれを重視するのかを予め決めておき、移動の大きさが所定の範囲内である無線端末１が報告した無線端末測定情報の報告数と、移動の大きさが所定の範囲外である無線端末１が報告した無線端末測定情報の報告数とを比較することによって、移動の大きさが所定の範囲内である無線端末１が報告した無線端末測定情報と、移動の大きさが所定の範囲外である無線端末１が報告した無線端末測定情報とを区別した無線パラメータの決定処理を実施するか否かを判定するようにしても良い。例えば、重視する無線端末測定情報の報告数が、重視しない無線端末測定情報の報告数よりも多い場合に、無線端末測定情報を報告した無線端末１の移動の大きさを区別した無線パラメータの決定処理を行う。一方で、重視する無線端末測定情報の報告数が、重視しない無線端末測定情報の報告数よりも少ない場合には、無線端末測定情報を報告した無線端末１の移動の大きさを区別した無線パラメータの決定処理は行わない。また別の例として、重視する無線端末測定情報の報告数と重視しない無線端末測定情報の報告数の比（重視する無線端末測定情報の報告数÷重視しない無線端末測定情報の報告数）が所定値（例えば２）以上の場合に、無線端末測定情報を報告した無線端末１の移動の大きさを区別した無線パラメータの決定処理を行うようにしても良い。
【００３７】
上述の如く、本実施の形態は、移動の大きさが所定の範囲内（移動なし）である無線端末１の無線端末測定情報と、移動の大きさが所定の範囲外（移動あり）である無線端末１の無線端末測定情報とを区別し、無線セルの無線パラメータを決定している。よって、状況に応じた適切な無線パラメータを決定することができる。特に、ユーザが継続的に通信することが多い場所や、バンドオーバの対象となるような無線セルの境界付近に対して、最適な無線パラメータを決定することができる。
【００３８】
更に、移動の大きさが所定の範囲内（移動なし）である無線端末１の無線端末測定情報と、移動の大きさが所定の範囲外（移動あり）である無線端末１の無線端末測定情報とを区別して、無線パラメータの決定に用いる無線端末測定情報を選択することにより、無線端末測定情報の処理対象数を減らすことができ、無線パラメータの最適値を算出する際の処理負荷を軽減することができる。
【００３９】
また、上述の説明では、無線端末移動判定部２を無線通信ネットワーク４に設けたが、無線端末移動判定部２を無線端末１に設けてもよい。この場合、無線端末１は、自無線端末の移動の大きさが所定の範囲内（移動なし）であるのか、所定の範囲外（移動あり）であるのかを判定し、その判定結果を無線端末測定情報に含めて、無線通信ネットワーク４に送信しても良い。更に、無線端末１は、移動の判定の結果、移動の大きさが所定の範囲内（移動なし）又は、所定の範囲外（移動あり）である場合にのみ、無線端末測定情報を無線通信ネットワーク４に送信しても良い。このような構成にすることにより、無線通信ネットワーク４の処理負荷を軽減することができる。
【００４０】
以下、具体的な実施の形態を説明する。
【００４１】
＜第１の実施の形態＞
第１の実施の形態は、移動の大きさが所定の範囲内である無線端末が報告した無線端末測定情報と移動の大きさが所定の範囲外である無線端末が報告した無線端末測定情報とのいずれかを重視する一例として、移動の大きさが所定の範囲内である無線端末が報告した無線端末測定情報のみを用いる例を説明する。
【００４２】
図２は、第１の実施の形態の構成図である。
【００４３】
第１の実施の形態の無線通信システムは、複数の無線端末（以下、ＵＥ）１０と、無線基地局２０と、無線パラメータ制御装置３０とを有する。
【００４４】
ＵＥ１０は、無線端末測定情報として無線品質情報を測定する機能を有する。無線品質情報は、ＵＥ１０が接続する無線セル（サービングセル）の無線品質の測定結果を含む。さらに、無線品質情報は、ＵＥ１０のサービングセル以外の周辺無線セルの無線品質の測定結果を含んでも良い。ＵＥ１０によって測定される無線品質の典型的な例は、無線基地局２０から送信される無線信号（下り信号）の受信品質である。
【００４５】
受信品質情報は、例えば、下りパイロット信号や、下りリファレンス信号（参照信号）の受信電力又はＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）などの信号対干渉雑音比である。Ｗ−ＣＤＭＡの場合、ＵＥ１０によって測定される無線品質は、無線セル毎の共通パイロットチャネル（ＣＰＩＣＨ：Ｃｏｍｍｏｎ  Ｐｉｌｏｔ  Ｃｈａｎｎｅｌ）の受信電力（ＣＰＩＣＨ  ＲＳＣＰ（Ｒｅｃｅｉｖｅｄ  Ｓｉｇｎａｌ  Ｃｏｄｅ  Ｐｏｗｅｒ））や、ＣＰＩＣＨの１チップ当たりのエネルギー対帯域内受信電力密度比（Ｅｃ／Ｎｏ）とすれば良い。また、ＬＴＥ（Ｌｏｎｇ  Ｔｅｒｍ  Ｅｖｏｌｕｔｉｏｎ）の場合、ＵＥ１０によって測定される無線品質は、下りリファレンス信号（Ｄｏｗｎｌｉｎｋ  Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）や、受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）とすれば良い。
【００４６】
さらに、無線品質情報は、スループットやＢＬＥＲ（Ｂｌｏｃｋ  Ｅｒｒｏｒ  Ｒａｔｅ）などの通信品質、異常切断やハンドオーバ失敗の発生有無といったイベント情報、ＵＥが無線品質を測定した時刻、各無線品質に対応する無線セル４０の識別子、及びＵＥ１０の識別子などの情報を含んでも良い。
【００４７】
ＵＥ１０は、測定した無線品質情報を無線端末測定情報として、無線基地局２０に送信する。
【００４８】
無線基地局２０は、無線セル４０を管理し、複数のＵＥ１０との間で双方向の無線通信を行う。そして、配下のＵＥ１０で測定された無線端末測定情報（無線品質情報）を収集すると共に、その情報を無線パラメータ制御装置３０に通知する機能を有する。無線品質情報だけでなく、無線セル単位で集計されるパフォーマンスカウンタ情報（例えば、通信発生回数、ハンドオーバ回数、リソースブロック使用率など）を無線パラメータ制御装置３０に通知しても良い。また、無線基地局２０は、無線パラメータ制御装置３０における無線パラメータ決定結果に従い、自身の無線パラメータや自身が管理する無線セルの無線パラメータを変更する機能を備える。尚、図２では、各無線基地局２０が１つの無線セル４０を管理する形態について例示したが、これに限定されない。すなわち、各無線基地局２０が複数の無線セル４０を管理する形態を取っても良い。
【００４９】
無線パラメータ制御装置３０は、無線基地局２０から報告される無線端末測定情報（無線品質情報）やパフォーマンスカウンタ情報を基に、無線セル４０の無線パラメータを決定し、その結果を当該無線セルを管理する無線基地局２０に通知する機能を有する。そして、無線パラメータ制御装置３０は、無線端末測定情報データベース３１と、無線端末移動判定部３２と、無線端末測定情報集計部３３と、無線パラメータ決定部３４とを有する。
【００５０】
無線端末測定情報データベース３１は、無線基地局２０から報告される無線端末測定情報（無線品質情報）やパフォーマンスカウンタ情報を登録しておくデータベースである。各情報は、測定された時刻に紐付けられて格納しても良い。また、無線端末測定情報集計部３３によって集計された結果を格納するようにしても良い。
【００５１】
無線端末移動判定部３２は、ＵＥ１０の移動の大きさが所定の範囲内であるかを判定する。本実施の形態では、無線品質情報のひとつである、下り参照信号の受信電力を用いて判定する。判定方法は、所定の期間内での下り参照信号の受信電力の変動幅が所定の閾値より小さくなる場合に、移動の大きさが所定の範囲内（移動なし）であると判定する。その際、上述の通り、サービングセル（無線端末が接続する無線セル）の参照信号のみを用いても良いし、サービングセルとは異なる位置に設置された無線セルの参照信号をさらに考慮しても良い。例えば、サービングセルと当該サービングセルとは異なる位置に設置された無線セルの参照信号の両者を用いる場合、双方の変動幅（例えば、参照信号の受信電力の上位９０％値−参照信号の受信電力の下位９０％値）が共に所定の閾値（例えば、１０ｄＢ）より小さくなる場合に、移動の大きさが所定の範囲内（移動なし）であると判定する。尚、上記所定の期間内で、部分的に所定の範囲内（移動なし）又は所定の範囲外（移動あり）との判定を行ってもよい。
【００５２】
無線端末測定情報集計部３３は、無線端末移動判定部３２の判定結果を受けて、無線端末測定情報（無線品質情報）を集計し、無線パラメータを決定する際の評価対象となる無線端末測定情報（無線品質情報）を、自己のデータベースに登録する。具体的には、無線端末測定情報集計部３３は、移動の大きさが所定の範囲内（移動なし）と判定されたＵＥ１０が報告した無線端末測定情報（無線品質情報）のみを自己のデータベースに登録し、ＵＥ１０の移動の大きさが所定の範囲外（移動あり）と判定されたＵＥ１０が報告した無線端末測定情報（無線品質情報）は登録しない。また、無線端末測定情報集計部３３は、移動の大きさが所定の範囲内（移動なし）と判定されたＵＥ１０が報告した無線端末測定情報（無線品質情報）と、移動の大きさが所定の範囲外（移動あり）と判定されたＵＥ１０が報告した無線端末測定情報（無線品質情報）とを区別して登録するようにしても良い。区別する方法は、移動の大きさが所定の範囲内（移動なし）と判定されたＵＥ１０が報告した無線端末測定情報（無線品質情報）に対して、フラグを立てて登録するようにしても良い。移動の大きさが所定の範囲内（移動なし）と判定されたＵＥ１０が報告した無線端末測定情報（無線品質情報）については、データサイズを圧縮するため、当該ＵＥ１０から報告された複数の無線品質情報を平均化してもよい。その際、平均化に用いた無線品質情報の数を保存しておくことが好ましい。尚、無線パラメータを決定する際の評価対象となる無線端末測定情報（無線品質情報）は、無線端末測定情報データベース３１内に登録しても良い。
【００５３】
無線パラメータ決定部３４は、無線端末測定情報集計部３３による無線端末測定情報の集計結果や無線基地局２０から収集したパフォーマンスカウンタ情報を用いて、無線セル４０の無線パラメータを決定する。本実施の形態では、無線端末測定情報集計部３３によって集計された無線端末測定情報（無線品質情報）のうち、移動の大きさが所定の範囲内（移動なし）と判定されたＵＥ１０が報告した無線端末測定情報（無線品質情報）を、無線パラメータを決定する際の評価対象として、無線パラメータを決定する。
【００５４】
例えば、無線端末測定情報集計部３３によって区別されて登録されている、移動の大きさが所定の範囲内（移動なし）と判定されたＵＥ１０が報告した無線端末測定情報（無線品質情報）毎に通信品質（例えば、スループット）を予測し、通信品質が改善するように無線セル４０の無線パラメータを決定する。
【００５５】
通信品質を予測する方法のひとつの具体例を説明する。ここでは、無線端末測定情報として無線セル毎の受信電力（ＲＳＲＰ）が含まれ、無線パラメータとして無線セルの送信電力を決定する場合について説明する。無線パラメータ決定部は、移動の大きさが所定の範囲内（移動なし）と判定されたＵＥ１０が報告した無線端末測定情報を対象にして、以下に示す方法によって、送信電力の候補値毎のスループットを無線端末測定情報毎に予測する。
【００５６】
無線端末測定情報に含まれる無線セル毎の受信電力（ＲＳＲＰ［ｄＢｍ］）を、
（ＲＳＲＰｓ、ＲＳＲＰｎ１、ＲＳＲＰｎ２、・・・、ＲＳＲＰｎｉ）
とおく。ここで、ＲＳＲＰｓは、無線パラメータを決定する対象の無線セル（以下、制御対象無線セル）のＲＳＲＰを表す。また、ＲＳＲＰｎ１、ＲＳＲＰｎ２、・・・、ＲＳＲＰｎｉは、周辺無線セル１から周辺無線セルｉまでの各無線セルのＲＳＲＰを表す。
【００５７】
まず、制御対象無線セルの送信電力を、現状のＰｒ［ｄＢｍ］から候補値Ｐｃ［ｄＢｍ］に変更したと仮定した場合の無線セル毎のＲＳＲＰを予測する。例えば、制御対象無線セルのＲＳＲＰ（ＲＳＲＰｓ）のみが送信電力の変更量分だけ変化すると仮定して、
（ＲＳＲＰｓ−（Ｐｒ−Ｐｃ）、ＲＳＲＰｎ１、ＲＳＲＰｎ２、・・・、ＲＳＲＰｎｉ）
として予測することができる。
【００５８】
次に、上記予測結果を降順に並べ替え、ＲＳＲＰの単位をデシベル値（ｄＢｍ）から実数値（ｍＷ）に変換した結果を、
（Ｓ１、Ｉ１、Ｉ２、・・・、Ｉｎｉ）
とおく。このとき、Ｓ１に対応する無線セルは、制御対象無線セルの送信電力を変更したと仮定した場合に最もＲＳＲＰが高くなる無線セルであるため、送信電力を変更した場合のサービングセルとみなすことができる。
【００５９】
制御対象無線セルの送信電力を候補値Ｐｃ［ｄＢｍ］に変更したと仮定した場合の当該無線端末測定情報のＳＩＮＲは、
ＳＩＮＲ＝Ｓ１／（Ｉ１＋Ｉ２＋・・・＋Ｉｎｉ＋ＮＯＩＳＥ）
として予測することができる。なお、ＮＯＩＳＥは熱雑音［ｍＷ］を表す。以降の説明のために、上記のＳＩＮＲをデシベル値（ｄＢ）に変換した結果をＳＩＮＲ’とおく。
【００６０】
制御対象無線セルの送信電力を候補値Ｐｃ［ｄＢｍ］に変更したと仮定した場合の当該無線端末測定情報のスループット（ＴＰ）は、当業者に良く知られたシャノン式を用いて、
ＴＰ＝Ｂ×ｌｏｇ２（１＋ＳＩＮＲ’）×α
として予測することができる。ここで、Ｂはシステム帯域幅［Ｈｚ］、αは受信機の実装等に依存して生じる理論限界からの劣化量を表す定数である。
【００６１】
無線パラメータ決定部は、上記のようにして無線パラメータの候補値毎に無線端末測定情報毎のスループットを予測し、最もスループットの改善が期待される無線パラメータの候補値を決定すれば良い。なお、ここで示した無線パラメータの決定方法は単なる一例であり、本発明の適用対象を制限するものではない。すなわち、無線端末測定情報を用いて無線セルの無線パラメータを決定する何れの方法であっても構わない。
【００６２】
次に、第１の実施の形態の無線パラメータ制御装置３０の動作を説明する。
【００６３】
図３は第１の実施の形態における無線パラメータ制御装置３０の動作フローチャートである。
【００６４】
まず、無線パラメータ制御装置３０は、無線基地局２０が収集した無線端末測定情報を収集する（Ｓｔｅｐ  １）。収集された無線端末測定情報（無線品質情報）は、無線端末測定情報データベース３１に登録される。
【００６５】
次に、無線パラメータ制御装置３０の無線端末移動判定部３２とは、無線端末測定情報データベース３１から移動量（移動の大きさ）を評価する無線端末測定情報（無線品質情報）を一つ選択する（Ｓｔｅｐ  ２）。ここでの無線端末測定情報（無線品質情報）とは、同一の無線端末から報告された無線端末測定情報（無線品質情報）の時系列データである場合もあれば、１時点のスナップショットのデータである場合もある。
【００６６】
無線端末移動判定部３２は、無線端末測定情報（無線品質情報）を用いて、ＵＥ１０の移動量を算出する（Ｓｔｅｐ  ３）。そして、算出した結果に基づき、無線端末測定情報に対して、ＵＥ１０の移動の大きさが所定の範囲内（移動なし）であるかを判定する（Ｓｔｅｐ  ４）。例えば、無線端末移動判定部３２は、無線端末測定情報（無線品質情報）のひとつである下り参照信号の受信電力を用いて、ＵＥ１０の移動の大きさが所定の範囲内（移動なし）であるかを判定する。判定方法は、所定の期間内での下り参照信号の受信電力の変動幅が所定の閾値より小さくなる場合に、移動の大きさが所定の範囲内（移動なし）であると判定する。その際、上述の通り、サービングセル（無線端末が接続する無線セル）の参照信号のみを用いても良いし、サービングセルとは異なる位置に設置された無線セルの参照信号をさらに考慮しても良い。例えば、サービングセルと当該サービングセルとは異なる位置に設置された無線セルの参照信号の両者を用いる場合、双方の変動幅（例えば、参照信号の受信電力の上位９０％値−参照信号の受信電力の下位９０％値）が共に所定の閾値（例えば、１０ｄＢ）より小さくなる場合に、移動の大きさが所定の範囲内（移動なし）であると判定する。
【００６７】
無線パラメータ制御装置３０の無線端末測定情報集計部３３は、無線端末移動判定部３２の判定結果を受けて、移動の大きさが所定の範囲内（移動なし）の無線端末測定情報（無線品質情報）を、無線パラメータを決定する際の評価対象として自己のデータベースに登録する（Ｓｔｅｐ  ５）。一方、移動の大きさが所定の範囲外（移動あり）の無線端末測定情報は、無線パラメータを決定する際の評価対象に含めないので、自己のデータベースには登録しない。尚、このとき、移動の大きさが所定の範囲内（移動なし）である無線端末の無線端末測定情報（すなわち無線パラメータを決定する際の評価対象に含める無線端末測定情報）と区別できる形で、移動の大きさが所定の範囲外（移動あり）である無線端末の無線端末測定情報（すなわち無線パラメータを決定する際の評価対象に含めない無線端末測定情報）も自己のデータベースに登録しても良い。
【００６８】
無線端末測定情報集計部３３は、Ｓｔｅｐ  ２からＳｔｅｐ  ５の処理が、全無線端末測定情報（無線品質情報）に対して行われたか否かを判定する（Ｓｔｅｐ  ６）。
【００６９】
Ｓｔｅｐ  ２からＳｔｅｐ  ５の処理が、全無線端末測定情報（無線品質情報）に対して行われたと判定された場合には、無線パラメータを決定する際の評価対象として無線端末測定情報集計部３３に登録された無線端末測定情報（無線品質情報）を対象にして、無線端末毎の平均化処理を行う（Ｓｔｅｐ  ７）。例えば、無線端末測定情報（無線品質情報）に、無線セル毎の下りリファレンス信号（参照信号）（Ｄｏｗｎｌｉｎｋ  Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）が含まれる場合には、無線端末毎に同一無線セルの受信電力を平均化すればよい。ここで、平均化の代わりに、中央値を求めるなどの統計処理を行っても良い。尚、この処理は必ずしも必要ではなく、適時行っても良い。
【００７０】
そして、無線パラメータ制御装置３０の無線パラメータ決定部３４は、平均化された無線端末測定情報を用いて、無線パラメータを決定し、その結果を無線基地局２０に通知する（Ｓｔｅｐ  ８）。
【００７１】
尚、上述した第１の実施の形態では、移動の大きさが所定の範囲内である無線端末が報告した無線端末測定情報のみを用いる例を説明したが、移動の大きさが所定の範囲外である無線端末が報告した無線端末測定情報を重視し、移動の大きさが所定の範囲外である無線端末が報告した無線端末測定情報のみを用いても良い。
【００７２】
この場合は、上述したＳｔｅｐ  ４、Ｓｔｅｐ５の処理において、上記の説明とは逆に、移動の大きさが所定の範囲外（移動あり）の無線端末測定情報（無線品質情報）を、無線パラメータを決定する際の評価対象として登録するようにすればよい。そして、無線パラメータを決定する際の評価対象として登録された、移動の大きさが所定の範囲外である無線端末が報告した無線端末測定情報のみを用いて、無線パラメータを決定するようにすれば良い。この場合の動作を、図４のフローチャートを用いて説明する。
【００７３】
Ｓｔｅｐ  １からＳｔｅｐ  ３までは、上述した動作と同様な動作である。
【００７４】
無線端末移動判定部３２は、移動量の算出結果に基づき、当該無線端末測定情報を報告したＵＥの移動の大きさが所定の範囲内（移動あり）であるかを判定する（Ｓｔｅｐ  ２０）。
【００７５】
無線パラメータ制御装置３０の無線端末測定情報集計部３３は、無線端末移動判定部３２の判定結果を受けて、移動の大きさが所定の範囲外（移動あり）の無線端末測定情報（無線品質情報）を、無線パラメータを決定する際の評価対象として、自己のデータベースに登録する（Ｓｔｅｐ  ２１）。一方、移動の大きさが所定の範囲内（移動なし）の無線端末測定情報は、無線パラメータを決定する際の評価対象に含めないので、登録しない。尚、このとき、移動の大きさが所定の範囲外（移動あり）である無線端末の無線端末測定情報（すなわち無線パラメータを決定する際の評価対象に含める無線端末測定情報）と区別できる形で、移動の大きさが所定の範囲内（移動なし）である無線端末の無線端末測定情報（すなわち無線パラメータを決定する際の評価対象に含めない無線端末測定情報）も自己のデータベースに登録しても良い。
【００７６】
Ｓｔｅｐ  ６以降の動作は、上述したものと同様なので、説明を省略する。
【００７７】
尚、上記の説明では、重視する無線端末測定情報を予め決定している場合を説明したが、重視する無線端末測定情報を予め決定せず、移動の大きさが所定の範囲内であるＵＥ１０が報告した無線端末測定情報の報告数と、移動の大きさが所定の範囲外であるＵＥ１０が報告した無線端末測定情報の報告数とを比較し、報告数の多いＵＥ１０の無線端末測定情報を重視するようにしても良い。
【００７８】
更に、上述した実施の形態では、移動の大きさが所定の範囲内であるＵＥ１０が報告する無線端末測定情報、又は、移動の大きさが所定の範囲外であるＵＥ１０が報告する無線端末測定情報のいずれを重視するのかを予め決め、それぞれの報告数に関係なく、無線セルの無線パラメータを決定するようにした。しかし、実際の報告数において、移動の大きさが所定の範囲内であるＵＥ１０が報告した無線端末測定情報の報告数と、移動の大きさが所定の範囲外であるＵＥ１０が報告した無線端末測定情報の報告数とを比較し、その結果に基づいて、移動の大きさが所定の範囲内であるＵＥ１０が報告した無線端末測定情報と、移動の大きさが所定の範囲外であるＵＥ１０が報告した無線端末測定情報とを区別した無線パラメータの決定処理を実施するか否かを判定するようにしても良い。
【００７９】
例えば、重視する無線端末測定情報の報告数が、重視しない無線端末測定情報の報告数よりも多い場合に、無線端末測定情報を報告したＵＥ１０の移動の大きさを区別した無線パラメータの決定処理を行う。一方で、重視する無線端末測定情報の報告数が、重視しない無線端末測定情報の報告数よりも少ない場合には、無線端末測定情報を報告した無線端末１の移動の大きさを区別した無線パラメータの決定処理は行わない。また別の例として、重視する無線端末測定情報の報告数と重視しない無線端末測定情報の報告数の比（重視する無線端末測定情報の報告数÷重視しない無線端末測定情報の報告数）が所定値（例えば２）以上の場合に、無線端末測定情報を報告した無線端末１の移動の大きさを区別した無線パラメータの決定処理を行うようにしても良い。
【００８０】
このような判定処理を行うことにより、実際のＵＥの移動状況に反するような無線セルの無線パラメータの決定処理を避けることができる。
【００８１】
第１の実施の形態では、移動していないと判定された無線端末が報告した無線端末測定情報のみ、または、移動している判定された無線端末が報告した無線端末測定情報のみ、を用いて無線パラメータを決定しているので、測定した場所や、無線端末の移動状況に適した最適な無線パラメータを決定することができる。特に、ユーザが静止して継続的に通信するような場所での無線特性や、移動しながら通信するような場所での無線特性が、無線パラメータを決定する際に十分に反映される。
【００８２】
また、移動していないと判定された無線端末が報告した無線端末測定情報、又は、移動していると判定された無線端末が報告した無線端末測定情報のみを用いており、無線パラメータ決定時に処理対象とする無線端末測定情報の数が減るので、無線パラメータの最適値を算出する際の処理負荷を軽減することができる。
【００８３】
＜第２の実施の形態＞
上述した第１の実施の形態では、重視する無線端末が報告した無線端末測定情報のみを用いて、無線パラメータを決定する例を説明した。
【００８４】
第２の実施の形態では、移動の大きさが所定の範囲内である無線端末が報告した無線端末測定情報と移動の大きさが所定の範囲外である無線端末が報告した無線端末測定情報とのいずれかを重視する一方、重視しない無線端末測定情報も考慮して、無線パラメータを決定する例を説明する。
【００８５】
以下の説明において、理解を容易にするため、移動の大きさが所定の範囲内（移動なし）の無線端末が報告した無線端末測定情報を重視しつつも、移動の大きさが所定の範囲外（移動あり）の無線端末が報告した無線端末測定情報も考慮する例を用いて説明するが、その逆でも良いことはいうまでもない。尚、基本的な構成は、第１の実施の形態と同様であるので、異なる構成について説明する。
【００８６】
第２の実施の形態が第１の実施の形態と異なる所は、無線端末測定情報集計部３３が移動の大きさが所定の範囲内（移動なし）と判定された無線端末（ＵＥ１０）が報告した無線端末測定情報、または、移動の大きさが所定の範囲外（移動あり）と判定された無線端末（ＵＥ１０）が報告した無線端末測定情報に重みづけを行い、移動の大きさが所定の範囲内（移動なし）と判定されたＵＥ１０の無線端末測定情報を、移動の大きさが所定の範囲外（移動あり）と判定されたＵＥ１０の無線端末測定情報よりも重視させる所にある。
【００８７】
一つの実施例として、移動の大きさが所定の範囲内（移動なし）と判定されたＵＥ１０が報告した無線端末測定情報の報告数に対して重みづけを行い、移動の大きさが所定の範囲内（移動なし）と判定されたＵＥ１０が報告した無線端末測定情報の報告数を実際の報告数よりも増加させれば良い。
【００８８】
この場合、無線パラメータ決定部３４は、無線端末測定情報集計部３３によって報告数が増加された無線端末測定情報（すなわち、移動の大きさが所定の範囲内（移動なし）と判定されたＵＥ１０が報告した無線端末測定情報）と、報告数が変更されていない無線端末測定情報（すなわち、移動の大きさが所定の範囲外（移動あり）と判定されたＵＥ１０が報告した無線端末測定情報）とを用いて、無線パラメータを決定する。
【００８９】
次に、第２の実施の形態の無線パラメータ制御装置３０の動作を説明する。
【００９０】
図５は第２の実施の形態における無線パラメータ制御装置３０の動作の一例を示すフローチャートである。
【００９１】
Ｓｔｅｐ  １からＳｔｅｐ  ４までは、第１の実施の形態と同様な動作である。
【００９２】
次に、無線パラメータ制御装置３０の無線端末測定情報集計部３３は、無線端末移動判定部３２の判定結果を受けて、移動の大きさが所定の範囲内（移動なし）のＵＥ１０が報告した無線端末測定情報と、移動の大きさが所定の範囲外（移動あり）のＵＥ１０が報告した無線端末測定情報とを区別して自己のデータに登録する（Ｓｔｅｐ  １０、１１）。なお、本実施の形態では、いずれに区別された無線端末測定情報であっても、無線パラメータを決定する際の評価対象として扱われる。
【００９３】
Ｓｔｅｐ  ２からＳｔｅｐ  ４、およびＳｔｅｐ１０またはＳｔｅｐ１１の処理が、全無線端末測定情報に対して行われたか否かを判定する（Ｓｔｅｐ  ６）。
【００９４】
続いて、無線端末測定情報集計部３３は、移動の大きさが所定の範囲内（移動なし）のＵＥ１０が報告した無線端末測定情報を対象にして、ＵＥ１０毎の平均化の処理を行う（Ｓｔｅｐ  １２）。尚、この処理は必ずしも必要ではなく、適時行っても良い。
【００９５】
更に、無線端末測定情報集計部３３は、移動の大きさが所定の範囲内（移動なし）のＵＥ１０が報告した無線端末測定情報の報告数に重みづけを行い、報告数を増加させる（Ｓｔｅｐ  １３）。すなわち、実際には１回しか報告がなかった無線端末測定情報を、複数回の報告があったものとして扱う。あるいは、移動の大きさが所定の範囲外（移動あり）のＵＥ１０が報告した無線端末測定情報を間引いても良い。
【００９６】
そして、無線パラメータ制御装置３０の無線パラメータ決定部３４は、無線パラメータを決定する際の評価対象となる全無線端末測定情報、すなわち、報告数が増加された無線端末測定情報（すなわち、移動の大きさが所定の範囲内（移動なし）と判定されたＵＥ１０が報告した無線端末測定情報）と、報告数が変更されていない無線端末測定情報（すなわち、移動の大きさが所定の範囲外（移動あり）と判定されたＵＥ１０が報告した無線端末測定情報）とを用いて、無線パラメータを決定し、その結果を無線基地局２０に通知する（Ｓｔｅｐ  １４）。
【００９７】
他の動作は、上述した実施の形態と同様なので、説明を省略する。
【００９８】
また、他の実施例として、第１の実施の形態で説明したように、無線端末測定情報毎の通信品質（例えば、スループット）を予測して無線パラメータを決定する際に、移動の大きさが所定の範囲内（移動なし）のＵＥ１０が報告した無線端末測定情報を用いて予測された通信品質と、移動の大きさが所定の範囲外（移動あり）のＵＥ１０が報告した無線端末測定情報を用いて予測された通信品質とに、移動の大きさが所定の範囲内（移動なし）のＵＥ１０が報告した無線端末測定情報が重視されるような重み付けをしても良い。例えば、移動の大きさが所定の範囲内（移動なし）のＵＥ１０が報告した無線端末測定情報を用いて予測された通信品質の平均値をＸ、移動の大きさが所定の範囲外（移動あり）のＵＥ１０が報告した無線端末測定情報を用いて予測された通信品質の平均値をＹとした場合、総合的な通信品質をα・Ｘ＋β・Ｙとして評価する。ここで、パラメータαをパラメータβよりも大きな値とすることによって、移動の大きさが所定の範囲内（移動なし）のＵＥ１０が報告した無線端末測定情報を重視することが可能となる。
【００９９】
尚、上記の説明では、移動の大きさが所定の範囲内（移動なし）のＵＥ１０が報告した無線端末測定情報を重視することを予め決定している場合を説明したが、移動の大きさが所定の範囲内であるＵＥ１０が報告した無線端末測定情報の報告数と、移動の大きさが所定の範囲外であるＵＥ１０が報告した無線端末測定情報の報告数とを比較し、報告数の多い無線端末測定情報を重視しても良い。
【０１００】
更に、移動の大きさが所定の範囲内であるＵＥ１０が報告する無線端末測定情報、又は、移動の大きさが所定の範囲外であるＵＥ１０が報告する無線端末測定情報のいずれを重視するのかを予め決めておき、移動の大きさが所定の範囲内であるＵＥ１０が報告した無線端末測定情報の報告数と、移動の大きさが所定の範囲外であるＵＥ１０が報告した無線端末測定情報の報告数とを比較することによって、移動の大きさが所定の範囲内であるＵＥ１０が報告した無線端末測定情報と、移動の大きさが所定の範囲外であるＵＥ１０が報告した無線端末測定情報とを区別した無線パラメータの決定処理を実施するか否かを判定するようにしても良い。例えば、重視する無線端末測定情報の報告数が、重視しない無線端末測定情報の報告数よりも多い場合に、無線端末測定情報を報告したＵＥ１０の移動の大きさを区別した無線パラメータの決定処理を行う。一方で、重視する無線端末測定情報の報告数が、重視しない無線端末測定情報の報告数よりも少ない場合には、無線端末測定情報を報告したＵＥ１０の移動の大きさを区別した無線パラメータの決定処理は行わない。また別の例として、重視する無線端末測定情報の報告数と重視しない無線端末測定情報の報告数の比（重視する無線端末測定情報の報告数÷重視しない無線端末測定情報の報告数）が所定値（例えば２）以上の場合に、無線端末測定情報を報告したＵＥ１０の移動の大きさを区別した無線パラメータの決定処理を行うようにしても良い。
【０１０１】
第２の実施の形態では、移動の大きさが所定の範囲内である無線端末が報告した無線端末測定情報と移動の大きさが所定の範囲外である無線端末が報告した無線端末測定情報とのいずれかを重視する一方、重視しない無線端末測定情報も用いるので、第１の実施の形態の効果に加えて、無線セル全体のバランスを考慮した無線パラメータを決定することができる。
【０１０２】
＜第３の実施の形態＞
上述した第１、２の実施の形態では、無線端末測定情報には無線品質情報のみが含まれている場合の例を説明した。
【０１０３】
第３の実施の形態では、無線端末測定情報には無線品質情報に加えて、無線端末側で取得した移動状態情報を含み、移動状態情報により、無線端末の移動の大きさが所定の範囲内（移動なし）か否かを判定する例を説明する。尚、基本的な構成は、上述した実施の形態と同様であるので、異なる構成について説明する。
【０１０４】
図６は第３の実施の形態の構成図である。第３の実施の形態が上述した実施の形態と異なる所は、無線端末（ＵＥ１０）が無線端末の移動状態に関する移動状態情報を取得する移動状態情報取得部１１を有することである。
【０１０５】
移動状態情報取得部１１は、無線品質の測定時に、ＵＥ１０の移動に関する移動状態情報を取得する。取得する移動状態情報としては、例えば、ドップラー周波数や移動速度などの移動状態が直接的に把握できる情報や、無線端末の位置情報（例えば、ＧＰＳによる位置情報）など移動状態が間接的に把握できる情報が考えられる。なお、移動状態情報を取得するタイミングは、必ずしも無線品質の測定時である必要はなく、無線品質の測定時から所定時間以内の任意の時点であっても良い。また、過去数回にわたって取得した移動状態情報の平均値を求めても良い。
【０１０６】
ＵＥ１０では、移動状態情報取得部１１が取得した移動状態情報を、無線品質情報と共に無線端末測定情報に含め、無線基地局２０に送信する。
【０１０７】
無線端末移動判定部３２は、移動状態情報に基づいて、当該ＵＥ１０の移動の大きさが所定の範囲内であるかを判定する。移動の大きさが所定の範囲内であるかを判定する方法としては、ドップラー周波数や移動速度など、移動状態が直接的に把握できる移動状態情報が含まれている場合、これらの値によって移動を判定する。例えば、移動状態情報がドップラー周波数の場合、ドップラー周波数が所定の閾値（例えば、移動速度１．５Ｋｍ／ｈ相当）より小さくなる場合に、移動の大きさが所定の範囲内（移動なし）であると判定する。また、移動状態情報が、位置情報などの移動状態が間接的に把握できる情報の場合、所定の期間内での位置の変動幅が、所定の閾値（例えば、移動速度１．５Ｋｍ／ｈ相当）より小さくなる場合に、移動の大きさが所定の範囲内（移動なし）であると判定する。尚、上記所定の期間内で、部分的に移動の大きさが所定の範囲内（移動なし）又は移動の大きさが所定の範囲外（移動あり）との判定を行ってもよい。
【０１０８】
他の動作は、上述した実施の形態と同様なので、説明を省略する。
【０１０９】
第３の実施の形態では、無線端末側で取得した移動状態情報を用いて無線端末の移動を判定しているので、上述した実施の形態の効果に加えて、無線パラメータ制御装置３０の処理を軽減することができる。また、無線端末側で取得した移動状態情報を用いることにより、無線端末が移動しているかの判定の精度を高められるという利点がある。
【０１１０】
＜第４の実施の形態＞
第４の実施の形態では、無線端末（ＵＥ１０）が無線端末の移動状態に関する移動状態情報を取得する移動状態情報取得部１１と、無線端末移動判定部３２とを備える例を説明する。尚、基本的な構成は、上述した実施の形態と同様であるので、異なる構成について説明する。
【０１１１】
図７は第４の実施の形態の構成図である。
【０１１２】
ＵＥ１０の無線端末移動判定部３２は、移動状態情報取得部１１で取得した移動状態情報に基づいて、当該ＵＥ１０の移動の大きさが所定の範囲内であるかを判定する。移動の大きさが所定の範囲内であるかを判定する方法としては、例えば、ドップラー周波数や移動速度など、移動状態が直接的に把握できる移動状態情報が含まれている場合、これらの値によって移動を判定する。例えば、移動状態情報がドップラー周波数の場合、ドップラー周波数が所定の閾値（例えば、移動速度１．５ｋｍ／ｈ相当）より小さくなる場合に、移動の大きさが所定の範囲内（移動なし）であると判定する。また、移動状態情報が、位置情報などの移動状態が間接的に把握できる情報の場合、所定の期間内での位置の変動幅が、所定の閾値（例えば、移動速度１．５ｋｍ／ｈ相当）より小さくなる場合に、移動の大きさが所定の範囲内（移動なし）であると判定する。尚、上記所定の期間内で、部分的に移動の大きさが所定の範囲内（移動なし）又は移動の大きさが所定の範囲外（移動あり）との判定を行ってもよい。
【０１１３】
そして、ＵＥ１０では、無線端末移動判定部３２の移動状態の判定結果と無線品質情報とを無線端末測定情報として、無線基地局２０に送信する。尚、ＵＥ１０は、無線端末移動判定部３２により移動なしと判定された場合のみ、又は、移動ありと判定された場合のみ、無線品質情報を送信しても良い。
【０１１４】
第４の実施の形態では、上述した実施の形態の効果に加え、無線端末側で移動状態情報を用いて移動状態の判定を行っているので、無線パラメータ制御装置３０側で移動状態の判定を行う必要が無く、無線パラメータ制御装置３０の処理負荷を軽減することができる。
【０１１５】
＜各実施の形態の変形例＞
上述した実施の形態では、無線パラメータ制御装置３０が、無線端末測定情報データベース３１と、無線端末移動判定部３２と、無線端末測定情報集計部３３と、無線パラメータ決定部３４とを備えている場合を説明した。
【０１１６】
しかしながら、これらは、かならずしも無線パラメータ制御装置３０が全て備えている必要はない。
【０１１７】
例えば、図８に示すように、無線基地局２０が、無線パラメータ制御装置３０が有する全ての機能、すなわち、無線端末測定情報データベース３１と、無線端末移動判定部３２と、無線端末測定情報集計部３３と、無線パラメータ決定部３４とを備えていても良い。この場合、複数の無線基地局の無線パラメータの最適化を無線基地局毎に独立して行えるため、無線パラメータの制御周期を短くすることができる。
【０１１８】
また、図９に示すように、無線基地局２０が無線端末測定情報データベース３１と、無線端末移動判定部３２と、無線端末測定情報集計部３３とを備え、無線パラメータ制御装置３０が無線パラメータ決定部３４を備えていても良い。この場合、無線基地局２０から無線パラメータ制御装置３０には、集計された無線品質情報のみを通知すればよいため、無線パラメータ制御装置３０への送信データ量の削減や、無線パラメータ制御装置での処理負荷の軽減が可能となる。
【０１１９】
以上で本発明の実施の形態の説明を終わるが、上述した説明からも明らかなように、各部をハードウェアで構成してもよいし、コンピュータプログラムにより実現してもよい。この場合、プログラムメモリに格納されているプログラムで動作するプロセッサによって、上述した各実施の形態と同様の機能、動作を実現させる。また、上述した実施の形態の一部の機能のみをコンピュータプログラムにより実現してもよい。
【０１２０】
また、上記の実施の形態の内容は、以下のようにも表現されうる。
【０１２１】
（付記１）  無線端末で測定された無線端末測定情報を用いて、無線セルの無線パラメータを決定する無線パラメータ制御システムであって、
前記無線端末の移動の大きさが所定の範囲内であるかを判定する無線端末移動判定手段と、
前記移動の大きさが所定の範囲内である無線端末が報告した無線端末測定情報と、前記移動の大きさが所定の範囲外である無線端末が報告した無線端末測定情報とを区別し、前記無線セルの無線パラメータを決定する無線パラメータ決定手段と
を有する無線パラメータ制御システム。
【０１２２】
（付記２）  前記無線パラメータ決定手段は、移動の大きさが所定の範囲内である無線端末が報告した無線端末測定情報、又は、移動の大きさが所定の範囲外である無線端末が報告した無線端末測定情報のいずれかを重視して、前記無線セルの無線パラメータを決定する
付記１に記載の無線パラメータ制御システム。
【０１２３】
（付記３）  前記無線パラメータ決定手段は、前記重視する無線端末測定情報に対する重みづけ、または、前記重視しない無線端末測定情報に対する重みづけを行い、前記無線セルの無線パラメータを決定する
付記２に記載の無線パラメータ制御システム。
【０１２４】
（付記４）  前記無線パラメータ決定手段は、前記重視する無線端末測定情報のみを用いて、前記無線セルの無線パラメータを決定する
付記２又は付記３に記載の無線パラメータ制御システム。
【０１２５】
（付記５）  前記無線パラメータ決定手段は、前記重視しない無線端末測定情報の報告数に対する前記重視する無線端末測定情報の報告数の割合が高くなるように、前記重視する無線端末測定情報の報告数または前記重視しない無線端末測定情報の報告数を変更して、前記無線セルの無線パラメータを決定する
付記２又は付記３に記載の無線パラメータ制御システム。
【０１２６】
（付記６）  前記無線パラメータ決定手段は、無線端末測定情報毎の通信品質を評価することによって無線パラメータを決定する際に、前記重視する無線端末測定情報の通信品質を、前記重視しない無線端末測定情報の通信品質よりも重みを付けて評価することを特徴とする
付記２又は付記３に記載の無線パラメータ制御システム。
【０１２７】
（付記７）  前記無線パラメータ決定手段は、移動の大きさが所定の範囲内である無線端末が報告する無線端末測定情報、又は、移動の大きさが所定の範囲外である無線端末が報告する無線端末測定情報のいずれかを重視するのかが予め設定されており、前記重視する無線端末測定情報の報告数が、前記重視しない無線端末測定情報の報告数よりも所定の割合以上多い場合に、前記移動の大きさが所定の範囲内である無線端末が報告した無線端末測定情報と、前記移動の大きさが所定の範囲外である無線端末が報告した無線端末測定情報とを区別して無線セルの無線パラメータの決定を行う
付記１から付記６のいずれかに記載の無線パラメータ制御システム。
【０１２８】
（付記８）  前記無線パラメータ決定手段は、前記移動の大きさに応じて無線端末測定情報を無線端末毎に平均化し、前記無線セルの無線パラメータを決定する
付記１から付記７のいずれかに記載の無線パラメータ制御システム。
【０１２９】
（付記９）  前記無線端末測定情報は、無線端末が検出した無線セルの無線品質情報を含む
付記１から付記８のいずれかに記載の無線パラメータ制御システム。
【０１３０】
（付記１０）  前記無線品質情報は、受信電力、受信品質、信号対干渉雑音比、スループットの少なくともいずれかを含む
付記９に記載の無線パラメータ制御システム。
【０１３１】
（付記１１）  前記無線端末移動判定手段は、前記無線品質情報に基づいて、前記無線端末の移動の大きさが所定の範囲内であるかを判定する
付記９又は付記１０に記載の無線パラメータ制御システム。
【０１３２】
（付記１２）  前記無線端末移動判定手段は、前記無線端末が接続している無線セルの無線品質の変動幅が所定の閾値より小さくなる場合に、前記無線端末の移動の大きさが所定の範囲内であると判定する
付記１１に記載の無線パラメータ制御システム。
【０１３３】
（付記１３）  前記無線端末移動判定手段は、前記無線端末が接続している無線セルの無線品質と、当該無線セルとは異なる場所に設置された無線セルの無線品質とを用い、双方の無線品質の所定期間内の変動幅が共に所定の閾値より小さい場合に、前記無線端末の移動の大きさが所定の範囲内であると判定する
付記１１に記載の無線パラメータ制御システム。
【０１３４】
（付記１４）  前記無線端末は、無線端末の移動状態に関する移動状態情報を取得し、前記取得した移動状態情報を、前記無線端末測定情報に含めて無線端末移動判定手段に送信する移動状態情報取得手段を有し、
前記無線端末移動判定手段は、前記移動状態情報に基づいて、前記無線端末の移動の大きさが所定の範囲内であるかを判定する
付記１から付記１３のいずれかに記載の無線パラメータ制御システム。
【０１３５】
（付記１５）  前記移動状態情報は、ドップラー周波数、無線端末の移動速度、無線端末の位置情報の少なくともいずれかを含む
付記１４に記載の無線パラメータ制御システム。
【０１３６】
（付記１６）  前記無線セルを管理する無線基地局に接続される無線パラメータ制御装置が、前記無線端末移動判定手段と、前記無線パラメータ決定手段とを有する
付記１から付記１５のいずれかに記載の無線パラメータ制御システム。
【０１３７】
（付記１７）  前記無線セルを管理する無線基地局が、前記無線端末移動判定手段と、前記無線パラメータ決定手段とを有する
付記１から付記１５のいずれかに記載の無線パラメータ制御システム。
【０１３８】
（付記１８）  前記無線端末が、前記無線端末移動判定手段を有し、
前記無線セルを管理する無線基地局、又は、前記無線基地局に接続される無線パラメータ制御装置のいずれかが、前記無線パラメータ決定手段を有する
付記１から付記１５のいずれかに記載の無線パラメータ制御システム。
【０１３９】
（付記１９）  無線端末で測定された無線端末測定情報を用いて、無線セルの無線パラメータを決定する無線パラメータ制御装置であって、
移動の大きさが所定の範囲内である無線端末が報告した無線端末測定情報と、移動の大きさが所定の範囲外である無線端末が報告した無線端末測定情報とを区別し、前記無線セルの無線パラメータを決定する無線パラメータ決定手段を
有する無線パラメータ制御装置。
【０１４０】
（付記２０）  前記無線パラメータ決定手段は、移動の大きさが所定の範囲内である無線端末が報告した無線端末測定情報、又は、移動の大きさが所定の範囲外である無線端末が報告した無線端末測定情報のいずれかを重視して、前記無線セルの無線パラメータを決定する
付記１９に記載の無線パラメータ制御装置。
【０１４１】
（付記２１）  前記無線パラメータ決定手段は、前記重視する無線端末測定情報に対する重みづけ、または、前記重視しない無線端末測定情報に対する重みづけを行い、前記無線セルの無線パラメータを決定する
付記２０に記載の無線パラメータ制御装置。
【０１４２】
（付記２２）  前記無線パラメータ決定手段は、前記重視する無線端末測定情報のみを用いて、前記無線セルの無線パラメータを決定する
付記２０又は付記２１に記載の無線パラメータ制御装置。
【０１４３】
（付記２３）  前記無線パラメータ決定手段は、前記重視しない無線端末測定情報の報告数に対する前記重視する無線端末測定情報の報告数の割合が高くなるように、前記重視する無線端末測定情報の報告数または前記重視しない無線端末測定情報の報告数を変更して、前記無線セルの無線パラメータを決定する
付記２０又は付記２１に記載の無線パラメータ制御装置。
【０１４４】
（付記２４）  前記無線パラメータ決定手段は、無線端末測定情報毎の通信品質を評価することによって無線パラメータを決定する際に、前記重視する無線端末測定情報の通信品質を、前記重視しない無線端末測定情報の通信品質よりも重みを付けて評価することを特徴とする
付記２０又は付記２１に記載の無線パラメータ制御装置。
【０１４５】
（付記２５）  前記無線パラメータ決定手段は、移動の大きさが所定の範囲内である無線端末が報告する無線端末測定情報、又は、移動の大きさが所定の範囲外である無線端末が報告する無線端末測定情報のいずれかを重視するのかが予め設定されており、前記重視する無線端末測定情報の報告数が、前記重視しない無線端末測定情報の報告数よりも所定の割合以上多い場合に、前記移動の大きさが所定の範囲内である無線端末が報告した無線端末測定情報と、前記移動の大きさが所定の範囲外である無線端末が報告した無線端末測定情報とを区別して無線セルの無線パラメータの決定を行う
付記１９から付記２５のいずれかに記載の無線パラメータ制御装置。
【０１４６】
（付記２６）  前記無線パラメータ決定手段は、前記移動の大きさに応じて無線端末測定情報を無線端末毎に平均化し、前記無線セルの無線パラメータを決定する
付記１９から付記２５のいずれかに記載の無線パラメータ制御装置。
【０１４７】
（付記２７）  前記無線端末測定情報は、無線端末が検出した無線セルの無線品質情報を含む
付記１９から付記２６のいずれかに記載の無線パラメータ制御装置。
【０１４８】
（付記２８）  前記無線品質情報は、受信電力、受信品質、信号対干渉雑音比スループットの少なくともいずれかを含む
付記２７に記載の無線パラメータ制御装置。
【０１４９】
（付記２９）  前記無線端末の移動の大きさが所定の範囲内であるかを判定する無線端末移動判定手段を有する付記１９から付記２８のいずれかに記載の無線パラメータ制御装置。
【０１５０】
（付記３０）  前記無線端末移動判定手段は、前記無線品質情報に基づいて、前記無線端末の移動の大きさが所定の範囲内であるかを判定する
付記２９に記載の無線パラメータ制御装置。
【０１５１】
（付記３１）  前記無線端末移動判定手段は、前記無線端末が接続している無線セルの無線品質の変動幅が所定の閾値より小さくなる場合に、前記無線端末の移動の大きさが所定の範囲内であると判定する
付記２９に記載の無線パラメータ制御装置。
【０１５２】
（付記３２）  前記無線端末移動判定手段は、前記無線端末が接続している無線セルの無線品質と、当該無線セルとは異なる場所に設置された無線セルの無線品質とを用い、双方の無線品質の所定期間内の変動幅が共に所定の閾値より小さい場合に、前記無線端末の移動の大きさが所定の範囲内であると判定する
付記２９に記載の無線パラメータ制御装置。
【０１５３】
（付記３３）  前記無線端末移動判定手段は、前記無線端末が取得した無線端末の移動状態に関する移動状態情報に基づいて、前記無線端末の移動の大きさが所定の範囲内であるかを判定する
付記２９に記載の無線パラメータ制御装置。
【０１５４】
（付記３４）  前記移動状態情報は、ドップラー周波数、無線端末の移動速度、無線端末の位置情報の少なくともいずれかを含む
付記３３に記載の無線パラメータ制御装置。
【０１５５】
（付記３５）  無線端末で測定された無線端末測定情報を用いて、無線セルの無線パラメータを決定する無線基地局であって、
移動の大きさが所定の範囲内である無線端末が報告した無線端末測定情報と、移動の大きさが所定の範囲外である無線端末が報告した無線端末測定情報とを区別し、前記無線セルの無線パラメータを決定する無線パラメータ決定手段を
有する無線基地局。
【０１５６】
（付記３６）  前記無線端末の移動の大きさが所定の範囲内であるかを判定する無線端末移動判定手段を有する付記３５の無線基地局。
【０１５７】
（付記３７）  無線端末で測定された無線端末測定情報を用いて、無線セルの無線パラメータを決定する無線通信システムにおける無線端末であって、
前記無線端末の移動状態に関する移動状態情報を取得する移動状態情報取得手段と、
前記無線端末測定情報に前記移動状態情報を含めて、前記無線基地局に送信する送信手段と
を有する無線端末。
【０１５８】
（付記３８）  無線端末で測定された無線端末測定情報を用いて、無線セルの無線パラメータを決定する無線通信システムにおける無線端末であって、
前記無線端末の移動の大きさが所定の範囲内であるかを判定する無線端末移動判定手段と、
前記移動の大きさが所定の範囲内である場合、又は、前記移動の大きさが所定の範囲外である場合、前記無線端末測定情報を、前記無線基地局に送信する送信手段と
を有する無線端末。
【０１５９】
（付記３９）  無線端末で測定された無線端末測定情報を用いて、無線セルの無線パラメータを決定する無線パラメータ制御方法であって、
前記無線端末の移動の大きさが所定の範囲内であるかを判定し、
前記移動の大きさが所定の範囲内である無線端末が報告した無線端末測定情報と、前記移動の大きさが所定の範囲外である無線端末が報告した無線端末測定情報とを区別し、前記無線セルの無線パラメータを決定する
無線パラメータ制御方法。
【０１６０】
（付記４０）  無線端末で測定された無線端末測定情報を用いて、無線セルの無線パラメータを決定する無線パラメータ制御のプログラムであって、
コンピュータに、
移動の大きさが所定の範囲内である無線端末が報告した無線端末測定情報と、移動の大きさが所定の範囲外である無線端末が報告した無線端末測定情報とを区別し、前記無線セルの無線パラメータを決定する処理を実行させるためのプログラム。
【０１６１】
以上、実施の形態をあげて本発明を説明したが、本発明は必ずしも上記実施の形態に限定されるものではなく、その技術的思想の範囲内において様々に変形し実施してもよい。また、各実施の形態を適宜組み合わせて実施してもよい。
【０１６２】
本出願は、２０１１年１２月１３日に出願された日本出願特願２０１１−２７１８２７号を基礎とする優先権を主張し、その開示の全てをここに取り込む。
【符号の説明】
【０１６３】
１      無線端末
２      無線端末移動判定部
３      無線パラメータ決定部
４      無線通信ネットワーク
１０    無線端末（ＵＥ）
１１    移動状態情報取得部
２０    無線基地局
３０    無線パラメータ制御装置
３１    無線端末測定情報データベース
３２    無線端末移動判定部
３３    無線端末測定情報集計部
３４    無線パラメータ決定部
【図１】
2013089057.tif 000003
【図２】
2013089057.tif 000004
【図３】
2013089057.tif 000005
【図４】
2013089057.tif 000006
【図５】
2013089057.tif 000007
【図６】
2013089057.tif 000008
【図７】
2013089057.tif 000009
【図８】
2013089057.tif 000010
【図９】
2013089057.tif 000011
【国際調査報告】
2013089057.tif 000012
2013089057.tif 000013
2013089057.tif 000014
2013089057.tif 000015